(57)【要約】【課題】記録装置に格納されているコンテンツの一覧を表示する際に、許諾コピー回数が設定されコンテンツのコピー可能回数をユーザが視覚的に理解することができるようにすること。【解決手段】コンテンツ記録装置に格納されている許諾コピー回数が設定されているコンテンツを含むコンテンツの一覧をサムネイル画像を用いて表示する場合、コピーの作成可能回数に応じてサムネイル画像に対するフィルタ処理によって輪郭の強調レベルを変化させる。【選択図】図６
2009267527.tif 000002
【特許請求の範囲】
【請求項１】
許諾コピー回数が設定されコピーの作成数が制限されているコンテンツが格納されるコンテンツ記録装置と、
前記コンテンツのコピーの作成可能数の情報が格納されている複製可能情報記録装置と、
前記コンテンツ記録装置に格納されているコンテンツの一覧を前記コンテンツの情報を含む画像を用いて表示するコンテンツ情報表示手段であって、前記コピーの作成可能数に応じて前記画像を変化させるコンテンツ情報表示手段とを具備することを特徴とするコンテンツ一覧表示装置。
【請求項２】
前記画像は、前記コンテンツのサムネイル画像であることを特徴とする請求項１に記載のコンテンツ一覧表示装置。
【請求項３】
前記コンテンツ情報表示手段は、前記コピーの作成可能数が減るのに応じて、色立体上の任意の点をある一点へ縮退させるように段階的に変更する手段であることを特徴とする請求項２に記載のコンテンツ一覧表示装置。
【請求項４】
前記コンテンツ情報表示手段が、前記コピーの作成可能数が減るのに応じて色相および彩度を段階的に変更することによってセピア色化させることを特徴とする請求項３に記載のコンテンツ一覧表示装置。
【請求項５】
前記コンテンツ情報表示手段が、前記コピーの作成可能数が減るのに応じて彩度および明度の少なくとも一方を段階的に変更することを特徴とする請求項３に記載のコンテンツ一覧表示装置。
【請求項６】
前記コンテンツ情報表示手段は、前記サムネイル画像に対してフィルタ処理を行う手段を具備し、前記コピーの作成可能数が減るのに応じてフィルタ処理の設定を段階的に変更することを特徴とする請求項２に記載のコンテンツ一覧表示装置。
【請求項７】
前記フィルタ処理は、前記サムネイル画像の解像度を変更する処理、前記サムネイル画像を平滑化する処理、および前記サムネイル画像の輪郭を強調する処理から選ばれることを特徴とする請求項６に記載のコンテンツ一覧表示装置。
【請求項８】
前記コピーの作成可能数に応じた前記画像の変化が顕著に現れるか否かを判別し、現れないと判断した場合に、サムネイル画像として別の画像を選択する手段とを具備することを特徴とする請求項２に記載のコンテンツ一覧表示装置。
【請求項９】
前記サムネイル画像を前記許諾コピー数に応じて複数の領域に分割し、前記コピーの作成可能数に応じて前記分割された領域の画像を変化させることを特徴とする請求項２に記載のコンテンツ一覧表示装置。
【請求項１０】
最初に画像を変化させた領域から最後に変化させた領域にかけて、変化の度合いを段階的に変化させることを特徴とする請求項９に記載のコンテンツ一覧表示装置。
【請求項１１】
コンテンツ記録装置に格納されている許諾コピー回数が設定されコピーの作成数が制限されているコンテンツを含むコンテンツの一覧を前記コンテンツの情報を含む画像を用いて表示する場合、コピーの作成可能回数に応じて前記画像を変化させることを特徴とするコンテンツ一覧表示方法。
【請求項１２】
前記画像は、前記コンテンツのサムネイル画像であることを特徴とする請求項１１に記載のコンテンツ一覧表示方法。
【請求項１３】
前記コピーの作成可能数が減るのに応じて、色立体上の任意の点をある一点へ縮退させるように段階的に変更することを特徴とする請求項１２に記載のコンテンツ一覧表示方法。
【請求項１４】
前記コピーの作成可能数が減るのに応じて色相および彩度を段階的に変更することによってセピア色化させることを特徴とする請求項１３に記載のコンテンツ一覧表示方法。
【請求項１５】
前記コピーの作成可能数が減るのに応じて彩度および明度の少なくとも一方を段階的に変更することを特徴とする請求項１３に記載のコンテンツ一覧表示方法。
【請求項１６】
前記コピーの作成可能数が減るのに応じてフィルタ処理の設定を段階的に変更して、前記サムネイル画像に対して前記フィルタ処理を行うことを特徴とする請求項１２に記載のコンテンツ一覧表示方法。
【請求項１７】
前記フィルタ処理は、前記サムネイル画像の解像度を変更する処理、前記サムネイル画像を平滑化する処理、および前記サムネイル画像の輪郭を強調する処理から選ばれることを特徴とする請求項１６に記載のコンテンツ一覧表示方法。
【請求項１８】
前記コピーの作成可能数に応じた前記画像の変化が顕著に現れるか否かを判別し、現れないと判断した場合に、サムネイル画像として別の画像を選択する手段とを具備することを特徴とする請求項１２に記載のコンテンツ一覧表示方法。
【請求項１９】
前記サムネイル画像を前記許諾コピー数に応じて複数の領域に分割し、前記コピーの作成可能数に応じて前記分割された領域の画像を変化させることを特徴とする請求項１２に記載のコンテンツ一覧表示方法。
【請求項２０】
最初に画像を変化させた領域から最後に変化させた領域にかけて、変化の度合いを段階的に変化させることを特徴とする請求項１９に記載のコンテンツ一覧表示方法。
【発明の詳細な説明】
【技術分野】
【０００１】
本発明は、許諾コピー回数が設定されコピーの作成数が制限されているコンテンツの一覧を表示するコンテンツ一覧表示装置およびコンテンツ一覧表示方法に関する。
【背景技術】
【０００２】
現在、日本の地上デジタル放送は「１世代のみコピー可（Copy One Generation: COG）」という制御情報をコンテンツに付加した放送波を送信している。これに伴い、放送波を受信する記録装置側では、録画に際して「コピー不可(No More Copy: NMC)」という状態のコンテンツを記録媒体に記録している。このため、記録装置のユーザは私的利用であっても、記録媒体上のコンテンツを複製することができない。
【０００３】
近年では、このような複製の制約を緩和しようという方向性で検討が行われている。この検討において、例えば、1世代目の記録コンテンツに対して９回程度コピーを認めることが提案されている。例えばハードディスク内蔵のＤＶＤレコーダを例とすると、ハードディスクに保存された放送コンテンツがオリジナルコンテンツであるとみなされ、このオリジナルコンテンツをＤＶＤに記録する動作が１回目のコピーとなる。このコピー後、オリジナルコンテンツは「あと８回」だけハードディスクからＤＶＤにコピーすることが可能である。この許容コピー回数は１回コピーを行う毎に「１」ずつ減少し、「あと０回」になったときに、ハードディスクからのコピーが禁止される。
【０００４】
ところで、特許文献１には、複数の動画コンテンツから所望のものを選択するためのサムネイル表示時に、コピーフリーのものは小画面を表示するが、コピー制限があるのもについては文字列等によりコピー禁止を表す技術が開示されている。
【特許文献１】特表２００７−５３３０４７号公報
【発明の開示】
【発明が解決しようとする課題】
【０００５】
放送コンテンツを受信し、放送コンテンツのデータをハードディスクドライブ等の記録装置に格納する放送コンテンツ受信記録装置では、ユーザの操作に応じて記録装置に格納されているコンテンツのリスト（一覧）を表示することが行われている。このリスト表示の際に、コピーの可能回数を表示することが考えられるが、ユーザに対して視覚的に理解させることが望ましい。
【０００６】
本発明の目的は、記録装置に格納されているコンテンツの一覧を表示する際に、許諾コピー回数が設定されコピーの作成数が制限されているコンテンツのコピー可能回数をユーザが視覚的に理解することが可能なコンテンツ一覧表示装置およびコンテンツ一覧表示方法を提供することにある。
【課題を解決するための手段】
【０００７】
本発明の一例に係わるコンテンツ一覧表示装置は、許諾コピー回数が設定されコピーの作成数が制限されているコンテンツが格納されるコンテンツ記録装置と、前記コンテンツのコピーの作成可能数の情報が格納されている複製可能情報記録装置と、前記コンテンツ記録装置に格納されているコンテンツの一覧を前記コンテンツの情報を含む画像を用いて表示するコンテンツ情報表示手段であって、前記コピーの作成可能数に応じて前記画像を変化させるコンテンツ情報表示手段とを具備することを特徴とする。
【０００８】
本発明の一例に係わるコンテンツ一覧表示方法は、コンテンツ記録装置に格納されている許諾コピー回数が設定されコピーの作成数が制限されているコンテンツを含むコンテンツの一覧を前記コンテンツの情報を含む画像を用いて表示する場合、コピーの作成可能回数に応じて前記画像を変化させることを特徴とする。
【発明の効果】
【０００９】
記録装置に格納されているコンテンツの一覧を表示する際に、許諾コピー回数が設定されコピーの作成数が制限されているコンテンツのコピー可能回数をユーザが視覚的に理解することが可能になる。
【発明を実施するための最良の形態】
【００１０】
本発明の実施の形態を以下に図面を参照して説明する。
【００１１】
図１はコンテンツ一覧表示装置としてのＤＶＤレコーダの構成の概略を示す図である。ＤＶＤレコーダ１０はアンテナＡＮＴで受信される放送波から得られる放送コンテンツをコンテンツ記録装置に記録し、ディスプレイＤＳＰに出力させるために用いられる。このＤＶＤレコーダ１０はデジタルチューナ１１、信号変換部１２、制御部１３、ハードディスク（ＨＤＤ）ユニット１４、媒体記録再生部１５を備える。制御部１３は、図２に示すようにＣＰＵ２１、ＲＯＭ２２、ＲＡＭ２３、グラフィカルユーザインタフェース（ＧＵＩ）２４、およびバッファメモリ２５を含み、これらコンポーネント、デジタルチューナ１１、信号変換部１２、ＨＤＤユニット１４、および媒体記録再生部１５は制御バスにより相互接続される。バッファメモリ２５はさらに信号変換部１２、ＨＤＤユニット１４、および媒体記録再生部１５にデータバスにより接続される。ＣＰＵ２１はＤＶＤレコーダ１０全体の動作を制御するコントローラとして設けられる。ＲＯＭ２２はＣＰＵ２１の制御プログラムや最大許容コピー回数等の初期設定データを保持する。ＲＡＭ２３はＣＰＵ２１の入出力データを一時的に格納する。ＧＵＩ２４はユーザからの録画コマンド、コピーコマンド、その他の設定入力を行う。バッファメモリ２５は信号変換部１２、ＨＤＤユニット１４、および媒体記録再生部１５に対して入出力される放送コンテンツを一時的に格納する。
【００１２】
デジタルチューナ１１はアンテナで受信された地上デジタル放送波から放送コンテンツを復調して信号変換部１２に出力する。信号変換部１２は放送コンテンツをＭＰＥＧデコードにより伸張する信号変換を行う。ディスプレイＤＳＰは信号変換部１２からデコード結果として得られる放送コンテンツに含まれる映像情報および音声情報についてそれぞれ画面出力およびスピーカ出力を行う。また、信号変換部１２は放送コンテンツをＤＶＤ記録規格のＭＰＥＧエンコードにより再圧縮する信号変換を行う。制御部１３は信号変換部１２からエンコード結果として得られる放送コンテンツを録画コマンドに従ってＨＤＤユニット１４のハードディスクに保存する録画制御、およびコピーコマンドに従ってハードディスク内の放送コンテンツを媒体記録再生部１５によりＤＶＤにコピーする記録制御を行う。また、制御部１３はハードディスクまたはＤＶＤから放送コンテンツを再生する再生制御を行い、この放送コンテンツを再生用に信号変換部１２に供給する。この場合、信号変換部１２は再生用の放送コンテンツをＭＰＥＧデコードにより伸張する信号変換を行う。この場合も、ディスプレイＤＳＰは信号変換部１２からデコード結果として得られる放送コンテンツに含まれる映像情報および音声情報についてそれぞれ画面出力およびスピーカ出力を行う。上述のリモートデバイスはＧＵＩ２４および媒体記録再生部１５と同様に機能するものであり、制御部１３はリモートデバイスからの録画コマンドやコピーコマンドをＧＵＩ２４と同様に取り扱うと共に、放送コンテンツのコピー先を媒体記録再生部１５からこのリモートデバイスに変更可能である。
【００１３】
ちなみに、放送コンテンツに対するコピー制御情報がデジタルチューナ１１で受信された場合には、この放送コンテンツが「コピー不可（ＮＭＣ）」の状態になるように暗号化処理を行ってコピー保護対象コンテンツとしてＨＤＤユニット１４に保存され、これがコピーコマンドに従ってコピー保護対象コンテンツに対する最大許容コピー回数を越えないコピー回数範囲でＤＶＤへコピーされる。この場合、制御部１３が暗号を解除しながら放送コンテンツを読込み、さらにこの放送コンテンツをＤＶＤ用に暗号化しながらＤＶＤにコピーする記録制御を媒体記録再生部１５に対して行う。また、コピー制御情報が「１世代のみコピー可（COG）」であれば、ＨＤＤユニット１４内の放送コンテンツがコンテンツ移動扱いになるようにＤＶＤへのコピー後に削除される。  
図３はＲＡＭ２３に保持される許容コピー制御テーブルを示す。この許容コピー制御テーブルには、例えば放送コンテンツＡ，Ｂ，Ｃが登録され、これらコンテンツＡ，Ｂ，Ｃの各々に対する許容コピー回数カウンタが設けられる。許容コピー回数カウンタには、例えば９回という最大許容コピー回数が初期設定データとして設定される。許容コピー回数カウンタのカウンタ値はそれぞれコピー実行毎に更新される。図３に示すコンテンツＡを例として参照すると、既に４回コピーされ、これらが残り５回ずつコピーできることがカウンタ値から判る。
【００１４】
本装置のＣＰＵ２１は、ユーザのコンテンツリスト表示指示に応じてＨＤＤユニット１４内に保存されている放送コンテンツのリスト（図４）を表示する処理を実行する。コンテンツのリストを表示する際、コンテンツの情報として、コンテンツのサムネイル画像を表示する事が可能である。そして、本装置は、リスト表示時にサムネイル画像を表示する際に、コンテンツの許容コピー回数カウンタの値に応じて、サムネイル画像の画像を変化させ、ユーザに視覚的にコピー回数を示す。
【００１５】
例えば、許容コピー回数カウンタの値が小さくなるのに従って、段階的にセピア色化させる。図５を参照して画像のセピア色化について説明する。図５（Ａ）は、マンセル表色系を空間的な構造として示す色立体を表している。色立体中の周方向が色相を示す。、
赤（Red）、黄（Yellow）、緑（Green）、青（Blue）、紫（Purple）といった５色を標準色に、中間の色（YR、GY、BG、PB、RP）５色を加えた１０色相が反時計回りに配置されている。また、色立体の垂直軸は色の「明るさ・暗さ」を表す明度を示し、上に行くほど明るくなっている。また色立体の水平軸は、色の鮮やかさを表す彩度を示し、中心に近いほど彩度が低い。
【００１６】
図５（Ａ）に示す曲線Ｃは、許容コピー回数が無くなった際にサムネイル画像のそれぞれの色を縮退させる曲線を示している。図５（Ａ）においては、最終的にセピア色へと縮退させる曲線を示している。
【００１７】
図５（Ｂ）は、図５（Ａ）の色立体をある明度において水平方向にスライスした断面図を示しており、円の角度に応じて色相が変わり円の中心から遠ざかるほど高彩度になる。図５（Ａ）で示した曲線Ｃは図５（Ｂ）の円上においては点Ｐsで表される。
【００１８】
ここで、サムネイルの元画像つまりコピー可能回数が最大値である時のある点における色は、点Ｐoで表すことができる。従って、元画像からセピア色に段階的に色が変化するように、コピー可能に応じて点Ｐoから点Ｐsに縮退するように青の矢印で示したように段階的に色を変更させる。
【００１９】
このようにして、すべてのサムネイルの画像の画素においても同様に色立体の曲線Ｃに段階的に変更させることにより、コピー残り可能回数に応じて段階的にセピア色化していくサムネイル画像を生成し、視覚的にコピー可能回数を表示させることができる。
【００２０】
次に動画を示すサムネイル画像の選択方法について説明する。
【００２１】
サムネイル画像を動画の先頭のフレームを用いて示した場合例えば全画面が真っ黒のサムネイル画像や真っ白なサムネイル画像などを選択されてしまう場合がある。その場合請求項記載の手段ではサムネイル画像を変化させても際立った変化が起こらなくなってしまう。つまりサムネイル画面に使用する全画面の色を、ここでは黒一色や白一色であった場合、色立体に当てはめると全部同じ点に集まってしまう。
【００２２】
従って、全画面の色を色立体に当てはめた際に、同じ点に集まらないフレームを探してそのフレームをコンテンツリストを示すサムネイル画像とする。これによって、効果的にコピー回数の変化を示すサムネイル画像の変化を行うことができる。
【００２３】
［色立体変形例］
以下に色立体上の任意の点をある一点へ縮退させる他の例について説明する。  
１．例えば、色立体の彩度と明度をコピー残り回数に応じて段階的に変更する。例えば、元のサムネイル画像の明度をコピー可能最大値で割り、コピー実行ごとにその割合で明度を減じる。同時に彩度もオリジナルサムネイル画像の彩度をコピー可能最大値で割り、コピー実行ごとにその割合で彩度を減じる。
【００２４】
２．色立体の彩度をコピー残り回数に応じて段階的に変更する。元のサムネイル画像の彩度をコピー可能最大値で割り、コピー実行ごとにその割合で彩度を減じる。つまり鮮やかさが減り色味が薄くなる。
【００２５】
３．色立体の明度をコピー残り回数に応じて段階的に変更する。元のサムネイル画像の明度をコピー可能最大値で割り、コピー実行ごとにその割合で明度を減じる。
【００２６】
［画像処理フィルタ］
［輪郭強調］
また、ＣＰＵ２１が、サムネイル画像に対して画像処理フィルタによるフィルタ処理を実行して、画像を変化させるようにしても良い。
【００２７】
図６は、画像処理フィルタとして輪郭強調を用いて強調レベルをコピー残り回数に応じて段階的に変更した図である。たとえばラプラシアンフィルタを使用してエッジを検出した後、シャープフィルタを用いてエッジを強調する。輪郭強調の度合いの値は、コピー可能回数最大値を分母とし、残りコピー可能回数を分子とした、重み付けにより段階的に変化させる。
【００２８】
図６（Ａ）はコピー可能回数最大値であり、元のサムネイル画像を示している。  
図６（Ｂ）はコピー可能回数が最大値の半分になった際の輪郭値を変えてフィルタをかけたサムネイル画像を示しいる。  
図６（Ｃ）はコピー可能回数が最大値の１／４になった際の輪郭値を変えてフィルタをかけたサムネイル画像を示しいる。  
図６（Ｄ）はコピー可能回数が０になった際つまりコピーは行えずムーブしか行えない際の輪郭値を変えたフィルタを通したサムネイル画像を示しいる。
【００２９】
このように残りコピー可能回数をコピー可能最大値との比重により、フィルタの重み付けを変えることにより、コピー可能回数が減るごとによりシャープさが増すようになる。
【００３０】
以下に、画像処理フィルタによってサムネイル画像を変更する例を説明する。
【００３１】
［解像度］
本実施例においては、サムネイル画面をコピー可能回数に応じて変更する手段が、解像度をコピー残り回数に応じて段階的に変更する手段である。
【００３２】
たとえば元のサムネイル画像の解像度が、７２ｄｐｉである場合、解像度最低値たとえば８ｄｐｉまでの間をコピー可能最大値で割り、コピー実行ごとに解像度をその分減じる。表1にコピー可能回数と解像度との関係を示す。解像度を変更した後、例えばロー・パス・フィルタをかけてから、画像補完法にてピクセル間を補完近似する。
【表１】
2009267527.tif 000003
【００３３】
［平滑化］
画像処理フィルタによって、平滑化の度合いをコピー残り回数に応じて段階的に変更しても良い。たとえば、ロー・パス・フィルタをかけることによって情報量を落とし平滑化させることができ、そのフィルタ変数に応じて平滑化を高める。なお、ロー・パス・フィルタをかけた後は、バイキュービック法やバイリニア法等の画像補完法にてピクセル間を補完近似する。
【００３４】
［ブロック変更］
以下に本発明の他の実施例について説明する。
【００３５】
許諾コピー数に応じてサムネイル画像を複数の領域に分割する。図７は、例えば許諾コピー数が８である場合を示している。図７に示すように、サムネイル画像が８個のブロック部分３０１〜３０８に分割されている。
【００３６】
コピーが１回行われる毎に図内の１ブロック部分（例１／８）３０１が、例えばエッジ化最低値にてエッジ化された画像に変換される。そのときそれ以外のブロックは基画像のままである。そして、コピーする度に、ブロック部分３０２、ブロック部分３０３、ブロック部分３０４、…が、エッジ化された画像に変換される。
【００３７】
［ブロック変更（段階的変更）］
図８〜図１３に示すように、許諾コピー数に応じてサムネイル画像を複数の領域に分割する。例えば、図８、図９に示すように、サムネイル画像を縦方向に分割して、ブロック４０１〜４０８、ブロック４１１〜４１８の８個の領域に分割する。また、図１０，図１１に示すように、サムネイル画像を横方向に分割して、ブロック４２１〜４２８、ブロック４３１〜４３８の８個の領域に分割する。また、図１２に示すように、サムネイル画像を斜め方向に分割して、ブロック４４１〜４４８の８個の領域に分割する。また、図１３に示すように、サムネイル画像の重心の長方形のブロック４５１の重心と同じ重心を有する長方形によって複数のブロック４５１〜４５８の８個の領域に分割する。なお、同心円上に分割しても良い。
【００３８】
そして、コピー可能数に応じてサムネイル画像のブロックを矢印方向に順次変化させる。最初に画像を変化させたブロックから最後に画像を変化させたブロックにかけて、平滑化の度合い（変化の度合い）を段階的に変更する。最後に平滑度を変化させたブロックの変化の度合いが、他の平滑度を変化させたブロックとの変化の度合いより小さくなるようにする。このようにすることで、グラデーション状に平滑度が変化する。
【００３９】
上記実施形態によれば、コピー可能回数に応じてサムネイル画像を変更することによって、ユーザが視覚的にコピー可能回数を認識することが出来る。  
なお、コンテンツの一覧を表示する場合に、サムネイル画像を表示しない場合がある。この場合、コンテンツの番組名をテキストで表示しているが、テキストの背景色をコピー可能回数に応じて変更しても良い。また、コピー可能回数に応じてテキストの色を変更しても良い。
【００４０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４１】
【図１】本発明の一実施形態に係るＤＶＤレコーダの回路構成を概略的に示す図である。
【図２】図１に示す制御部の構成例を示す図である。
【図３】図２に示すＲＡＭに保持されるコピー制御テーブルを示す図である。
【図４】ＨＤＤユニット内に保存されている放送コンテンツのリスト表示の例を示す図。
【図５】色立体のある曲線へ縮退させる例を示す図。
【図６】コピー可能回数に応じて輪郭強調の度合いを変更したディスプレイに表示されるサムネイル画像の例を示す写真。
【図７】コピー許諾数に応じてサムネイル画像を複数のブロックに分割し、コピー可能回数に応じてブロックの画像を変更する例を示す図。
【図８】コピー許諾数に応じてサムネイル画像を複数のブロックに分割し、コピー可能回数に応じてブロックの画像を変化させると共に、最後に画像を変化させたブロックから最後に最初を変化させたブロックにかけて、変化の度合いを段階的に変化させた例を示す図。
【図９】コピー許諾数に応じてサムネイル画像を複数のブロックに分割し、コピー可能回数に応じてブロックの画像を変化させると共に、最後に画像を変化させたブロックから最後に最初を変化させたブロックにかけて、変化の度合いを段階的に変化させた例を示す図。
【図１０】コピー許諾数に応じてサムネイル画像を複数のブロックに分割し、コピー可能回数に応じてブロックの画像を変化させると共に、最後に画像を変化させたブロックから最後に最初を変化させたブロックにかけて、変化の度合いを段階的に変化させた例を示す図。
【図１１】コピー許諾数に応じてサムネイル画像を複数のブロックに分割し、コピー可能回数に応じてブロックの画像を変化させると共に、最後に画像を変化させたブロックから最後に最初を変化させたブロックにかけて、変化の度合いを段階的に変化させた例を示す図。
【図１２】コピー許諾数に応じてサムネイル画像を複数のブロックに分割し、コピー可能回数に応じてブロックの画像を変化させると共に、最後に画像を変化させたブロックから最後に最初を変化させたブロックにかけて、変化の度合いを段階的に変化させた例を示す図。
【図１３】コピー許諾数に応じてサムネイル画像を複数のブロックに分割し、コピー可能回数に応じてブロックの画像を変化させると共に、最後に画像を変化させたブロックから最後に最初を変化させたブロックにかけて、変化の度合いを段階的に変化させた例を示す図。
【符号の説明】
【００４２】
１０…ＤＶＤレコーダ，１１…デジタルチューナ，１２…信号変換部，１３…制御部，１４…ハードディスクユニット，１５…媒体記録再生部，２１…ＲＯＭ，２１…ＣＰＵ，２２…ＲＯＭ，２３…ＲＡＭ，２４…グラフィカルユーザインタフェース，２５…バッファメモリ。
【図１】
2009267527.tif 000004
【図２】
2009267527.tif 000005
【図３】
2009267527.tif 000006
【図４】
2009267527.tif 000007
【図５】
2009267527.tif 000008
【図６】
2009267527.tif 000009
【図７】
2009267527.tif 000010
【図８】
2009267527.tif 000011
【図９】
2009267527.tif 000012
【図１０】
2009267527.tif 000013
【図１１】
2009267527.tif 000014
【図１２】
2009267527.tif 000015
【図１３】
2009267527.tif 000016